(57)【要約】    【課題】      セルラーシステムのシステム容量を向上させることができるハンドオーバ制御方法を提供すること。    【解決手段】  接続中の基準セルの受信信号強度ＲＳＣＰＲＥＦと非接続中のｎ番目の測定セルの受信信号強度ＲＳＣＰＭＳＲｎとの信号強度差Ｄｎを監視する。監視している信号強度差Ｄｎが閾値Ｗ以下になったとき、信号強度差Ｄｎが閾値Ｗ以下である状態の持続時間ＰＭｎを測定する。また、監視している信号強度差ＤｎがＷ閾値以上になったときは、測定した持続時間ＰＭｎを保持時間ＰＲｎとして保持する。そして、測定した持続時間ＰＭｎおよび保持した保持時間ＰＲｎの合計が規定値ＰＴｎ以上になったとき、当該ｎ番目の測定セルを無線ネットワーク制御装置に報告する。  【選択図】      図１
2005102076.tif 000002
【特許請求の範囲】
【請求項１】
接続中のセルからの受信信号と非接続中のセルからの受信信号との信号強度差を監視する監視ステップと、
前記監視ステップで監視している信号強度差が所定の閾値以下になったとき、当該信号強度差が前記閾値以下である状態の持続時間を測定する測定ステップと、
前記監視ステップで監視している信号強度差が前記閾値以上になったときは、前記測定ステップで測定した持続時間を保持する保持ステップと、
前記測定ステップで測定した持続時間および前記保持ステップで保持した持続時間の合計が所定の規定値以上になったとき、前記非接続中のセルを無線ネットワーク制御装置に報告する報告ステップと、
を有することを特徴とするハンドオーバ制御方法。
【請求項２】
前記監視ステップで監視している信号強度差の移動平均を算出する算出ステップと、
前記算出ステップで算出した移動平均を所定の基準値と比較する比較ステップと、を有し、
前記比較ステップでの比較の結果、前記算出ステップで算出した移動平均が前記基準値以上である場合、前記非接続中のセルをハンドオーバ対象のセルから除外することを特徴とする請求項１記載のハンドオーバ制御方法。
【請求項３】
前記監視ステップで監視している信号強度差が前記閾値以上になったとき、当該信号強度差が前記閾値以上の状態を維持する時間を測定する状態維持時間測定ステップと、
前記状態維持時間測定ステップで測定した時間を所定の基準値と比較する時間比較ステップと、を有し、
前記時間比較ステップでの比較の結果、前記状態維持時間測定ステップで測定した時間が前記基準値以上である場合、前記非接続中のセルをハンドオーバ対象のセルから除外することを特徴とする請求項１記載のハンドオーバ制御方法。
【請求項４】
請求項１記載のハンドオーバ制御方法を実行することを特徴とする移動局装置。
【請求項５】
請求項４記載の移動局装置にハンドオーバ制御方法の実行を指示することを特徴とする基地局装置。
【発明の詳細な説明】
【技術分野】
【０００１】
本発明は、移動局装置、基地局装置および無線ネットワーク制御装置から構成される無線通信システム（以下「セルラーシステム」と言う）にて用いられるハンドオーバ制御方法に関する。
【背景技術】
【０００２】
従来、セルラーシステムにて用いられるハンドオーバ制御方法としては例えば特許文献１に記載されたものが知られている。従来のハンドオーバ制御方法では、接続中のセル（以下「基準セル」と言う）および信号強度測定中の非接続セル（以下「測定セル」と言う）からの各受信信号の信号強度を利用して基準セルおよび測定セルの間の信号強度差を求め、この信号強度差と予め設定された強度差閾値を比較し、求められた信号強度差がこの強度差閾値より小さい（以下、閾値より小さいことを「閾値を満たす」と言う）期間と所定の規定期間を比較する。移動局装置は、基準セルおよび各測定セルの信号強度を測定し、基準セルとの各信号強度差を求め、強度差閾値を満たす測定セルをハンドオーバ対象セルとする。
【０００３】
また、従来のハンドオーバ制御方法では、システム負荷を考慮し、強度差閾値を満たすとすぐにハンドオーバ対象セルを無線ネットワーク制御装置に報告しハンドオーバを実行するのではなく、上記の規定期間にわたり基準セルおよびハンドオーバ対象セルの間の信号強度差が強度差閾値を満たしたときに無線ネットワーク制御装置への報告が行われハンドオーバが実行される。
【特許文献１】特表２００３−５００９０９号公報
【発明の開示】
【発明が解決しようとする課題】
【０００４】
しかしながら、上記従来のハンドオーバ制御方法においては、シャドウイングなどによる伝搬路変動の影響で、基準セルおよびハンドオーバ対象セルの間の信号強度差が強度差閾値を一時的に満たさなくなりその後再び信号強度差が強度差閾値を満たす状態になった場合、信号強度差が再び強度差閾値を満たした時点から所定期間にわたり信号強度差が強度差閾値を常に満たすことが確認されたときに無線ネットワーク制御装置への報告が行われハンドオーバが実行される。したがって、ハンドオーバ対象セルに対するハンドオーバの実行までに時間を要する。このため、ハンドオーバによるゲインを十分に得ることができなかったりハンドオーバ対象セルから干渉を受けたりすることで移動局装置の通話品質が劣化し、セルラーシステムのシステム容量が低減してしまうという問題があった。
【０００５】
本発明は、かかる点に鑑みてなされたものであり、セルラーシステムのシステム容量を向上させることができるハンドオーバ制御方法を提供することを目的とする。
【課題を解決するための手段】
【０００６】
本発明のハンドオーバ制御方法は、接続中のセルからの受信信号と非接続中のセルからの受信信号との信号強度差を監視する監視ステップと、前記監視ステップで監視している信号強度差が所定の閾値以下になったとき、当該信号強度差が前記閾値以下である状態の持続時間を測定する測定ステップと、前記監視ステップで監視している信号強度差が前記閾値以上になったとき、前記測定ステップで測定した持続時間を保持する保持ステップと、前記測定ステップで測定した持続時間および前記保持ステップで保持した持続時間の合計が所定の規定値以上になったとき、前記非接続中のセルを無線ネットワーク制御装置に報告する報告ステップと、を有するようにした。
【０００７】
この方法によれば、予め規定された時間を再度設定する必要がなく、ハンドオーバ対象セルに対するハンドオーバ処理をより早く実行することができ、セルラーシステムのシステム容量を向上させることができる。また、予め規定された時間以上経過してから無線ネットワーク制御装置への報告が行われるため、無線ネットワーク制御装置側での処理負荷は増大しない。
【０００８】
本発明のハンドオーバ制御方法は、上記方法において、前記監視ステップで監視している信号強度差の移動平均を算出する算出ステップと、前記算出ステップで算出した移動平均を所定の基準値と比較する比較ステップと、を有し、前記比較ステップでの比較の結果、前記算出ステップで算出した移動平均が前記基準値以上である場合、前記非接続中のセルをハンドオーバ対象のセルから除外するようにした。
【０００９】
この方法によれば、非接続中のセルを無駄に監視する必要がなくなり、ハンドオーバ制御方法における全体的な処理量を削減することができる。
【００１０】
本発明のハンドオーバ制御方法は、上記方法において、前記監視ステップで監視している信号強度差が前記閾値以上になったとき、当該信号強度差が前記閾値以上の状態を維持する時間を測定する状態維持時間測定ステップと、前記状態維持時間測定ステップで測定した時間を所定の基準値と比較する時間比較ステップと、を有し、前記時間比較ステップでの比較の結果、前記状態維持時間測定ステップで測定した時間が前記基準値以上である場合、前記非接続中のセルをハンドオーバ対象のセルから除外するようにした。
【００１１】
この方法によれば、非接続中のセルを無駄に監視する必要がなくなり、ハンドオーバ制御方法における全体的な処理量を削減することができる。
【００１２】
本発明の移動局装置は、上記のハンドオーバ制御方法を実行する構成を採る。
【００１３】
この構成によれば、上記のハンドオーバ制御方法を移動局装置において実現することができる。
【００１４】
本発明の基地局装置は、上記の移動局装置にハンドオーバ制御方法の実行を指示する構成を採る。
【００１５】
この構成によれば、上記の移動局装置にハンドオーバ制御方法の実行を促す基地局装置を提供することができる。
【発明の効果】
【００１６】
以上説明したように、本発明によれば、セルラーシステムのシステム容量を向上させることができる。
【発明を実施するための最良の形態】
【００１７】
本発明の骨子は、接続中のセルからの受信信号と非接続中のセルからの受信信号との信号強度差が所定の閾値以下になったとき、当該信号強度差が前記閾値以下である状態の持続時間を測定し、当該信号強度差が前記閾値以上になったときは、測定した持続時間を保持し、測定した持続時間および保持した持続時間の合計が所定の規定値以上になったとき、前記非接続中のセルを無線ネットワーク制御装置に報告することである。
【００１８】
以下、本発明の実施の形態について、図面を用いて詳細に説明する。なお、以下の各実施の形態で説明するハンドオーバ制御方法は、セルラーシステムにて使用される移動局装置で実行することができる。また、以下の各実施の形態では、ハンドオーバ制御方法を実行する移動局装置が、現在接続中の基準セルの受信信号強度ＲＳＣＰＲＥＦの他に、現在非接続中で基準セルの周囲に位置するＮ個（Ｎは１以上の整数）の測定セルの受信信号強度ＲＳＣＰＭＳＲｎ（ｎは１以上Ｎ以下の整数）を監視（モニタ）することを前提として説明する。また、この移動局装置は、所定の測定開始タイミングＴｉｎｉｔから所定の測定終了タイミングＴｅｎｄまでの期間に間隔Ｔｉｎｔで繰り返し実行することで、各ＲＳＣＰの監視を行うことを前提として説明する。
【００１９】
（実施の形態１）
図１は、本発明の実施の形態１に係るハンドオーバ制御方法を説明するためのフローチャートである。
【００２０】
まず、ステップＳＴ１０００では、基準セルおよびｎ番目の測定セルの間の信号強度差Ｄｎを求める。
【００２１】
そして、ステップＳＴ１１００では、信号強度差Ｄｎを予め設定された閾値Ｗと比較する。この比較の結果、信号強度差Ｄｎが閾値Ｗより小さい場合（ＳＴ１１００：ＹＥＳ）は、ｎ番目の測定セルをハンドオーバ対象セルとみなし、ステップＳＴ１２００に進み、信号強度差Ｄｎが閾値Ｗより小さい状態の持続時間ＰＭｎを測定する。
【００２２】
そして、ステップＳＴ１３００では、測定した持続時間ＰＭｎを予め規定されている規定時間ＰＴｎと比較する。この比較の結果、持続時間ＰＭｎが規定時間ＰＴｎより小さい場合（ＳＴ１３００：ＮＯ）、測定タイミングｔでのｎ番目の測定セルに対する処理を終了する。一方、持続時間ＰＭｎが規定時間ＰＴｎ以上の場合（ＳＴ１３００：ＹＥＳ）は、ハンドオーバ対象セルとみなされているｎ番目の測定セルを無線ネットワーク制御装置に報告し（ＳＴ１４００）、ＰＭｎ、ＰＲｎ、ＰＴｎの値をクリアしそれぞれの初期値（例えば、ＰＭｎ＝０、ＰＲｎ＝０、ＰＴｎ＝Ｐｉｎｉｔ）に戻し（ＳＴ１５００）、測定タイミングｔでのｎ番目の測定セルに対する処理を終了する。また、ステップＳＴ１４００での報告の後、ハンドオーバ対象セルに対してハンドオーバ処理が行われ、ハンドオーバ対象セルが無線リンクに追加される。
【００２３】
また、ステップＳＴ１１００での比較の結果、信号強度差Ｄｎが閾値Ｗ以上の場合（ＳＴ１１００：ＮＯ）は、測定した持続時間ＰＭｎを保持時間ＰＲｎとして保持する（ＳＴ１６００）。そして、ステップＳＴ１７００では、ＰＴｎ＝ＰＴｎ−ＰＲｎの演算を行うことにより規定時間ＰＴｎを更新する。そして、測定タイミングｔでのｎ番目の測定セルに対する処理を終了する。
【００２４】
本実施の形態のハンドオーバ制御方法では、上記の動作を、１番目の測定セルからＮ番目の測定セルの各々について実行する。そして、１〜Ｎ番目の測定セルに対する上記の動作を、測定開始タイミングＴｉｎｉｔから測定終了タイミングＴｅｎｄまで、間隔Ｔｉｎｔ毎の測定タイミングで実行する。
【００２５】
次いで、上記のハンドオーバ制御方法が実際に実行される場合の動作例について図２を用いて説明する。ここでは、分かりやすく説明するために、Ｎ個の測定セルのうちある一つの測定セルに着目して説明する。
【００２６】
この測定セルの受信信号強度ＲＳＣＰＭＳＲおよび基準セルの受信信号強度ＲＳＣＰＲＥＦの信号強度差Ｄは時刻Ｔａにて閾値Ｗを満たし、この測定セルはハンドオーバ対象セルとなる。
【００２７】
そして、時刻Ｔａから予め規定された規定時間ＰＴ内で常に閾値Ｗを満たすか否かを判定するが、時刻Ｔｂで一時的に閾値Ｗを満たさなくなった場合、期間（Ｔｂ−Ｔａ）が持続時間ＰＭとして測定され、保持時間ＰＲとして保持される。また、規定時間ＰＴと保持時間ＰＲとの時間差が、新たな規定時間ＰＴとなる。
【００２８】
すなわち、期間（Ｔｂ−Ｔａ）が保持時間ＰＲとして保持されるため、時刻Ｔｂの後で再び信号強度差Ｄが閾値Ｗを満たしたときには、その時点から新たな規定時間ＰＴが経過するまで常にその状態を維持すれば無線ネットワーク制御装置への報告を行うことができる。従来のハンドオーバ制御方法では、期間（Ｔｂ−Ｔａ）が保持されず規定時間ＰＴが固定値であるため、時刻Ｔｂの後で再び信号強度差Ｄが閾値Ｗを満たしたときには、その時点から測定された持続時間ＰＭを前回と同じ規定時間ＰＴと比較しなければならない。そして、測定された持続時間ＰＭが規定時間ＰＴ以上になったときに無線ネットワーク制御装置への報告が行われる。このように、本実施の形態のハンドオーバ制御方法では、従来よりも迅速に無線ネットワーク制御装置への報告を行うことができることがわかる。
【００２９】
このように、本実施の形態によれば、一時的に信号強度差が閾値を満たさなくなる場合、信号強度差が閾値を満たしていた持続時間を保持時間として保持し保持時間を利用して規定時間を更新するため、ハンドオーバ対象セルについての信号強度差が更新後の規定時間内で常に閾値を満たす場合に無線ネットワーク制御装置への報告を行うことができ、ハンドオーバ対象セルに対するハンドオーバ処理をより早く実行することができる。
【００３０】
（実施の形態２）
図３は、本発明の実施の形態２に係るハンドオーバ制御方法を説明するためのフローチャートである。なお、本実施の形態のハンドオーバ制御方法は、実施の形態１で説明したハンドオーバ制御方法と基本的に同様の方法であり、同一のステップには同一の参照番号を付し、その詳細な説明を省略する。
【００３１】
まず、ステップＳＴ１０００〜ＳＴ１１００では、実施の形態１で説明した動作を実行する。そして、ステップＳＴ１１００での比較の結果、信号強度差Ｄｎが閾値Ｗより小さい場合（ＳＴ１１００：ＹＥＳ）はステップＳＴ１１１０に進み、信号強度差Ｄｎが閾値Ｗ以上の場合（ＳＴ１１００：ＮＯ）はステップＳＴ１１２０に進む。
【００３２】
ステップＳＴ１１１０では、算出した信号強度差Ｄｎの移動平均Ａｎを算出する。そして、実施の形態１で説明したステップＳＴ１２００〜ＳＴ１４００を実行する。そして、ステップＳＴ１５５０では、ＰＭｎ、ＰＲｎ、ＰＴｎ、Ａｎの値をクリアしそれぞれの初期値（例えば、ＰＭｎ＝０、ＰＲｎ＝０、ＰＴｎ＝Ｐｉｎｉｔ、Ａｎ＝０）に戻し、測定タイミングｔでのｎ番目の測定セルに対する処理を終了する。また、ステップＳＴ１４００での報告の後、ハンドオーバ対象セルに対してハンドオーバ処理が行われ、ハンドオーバ対象セルが無線リンクに追加される。
【００３３】
また、ステップＳＴ１１２０では、保持時間ＰＲｎが「０」であるか否かを判定する。この判定の結果、保持時間ＰＲｎが「０」である場合（ＳＴ１１２０：ＹＥＳ）は、ｎ番目の測定セルはハンドオーバ対象セルではないため、測定タイミングｔでのｎ番目の測定セルに対する処理を終了する。一方、保持時間ＰＲｎが「０」でない場合（ＳＴ１１２０：ＮＯ）は、ステップＳＴ１１３０において、信号強度差Ｄｎの移動平均Ａｎを算出する。
【００３４】
そして、ステップＳＴ１１４０では、算出した移動平均Ａｎを所定の基準値Ｓ１と比較する。この比較の結果、移動平均Ａｎが基準値Ｓ１より大きい場合（ＳＴ１１４０：ＹＥＳ）、ハンドオーバ対象セルの受信信号強度ＲＳＣＰＭＳＲｎは継続して低下していると判断し、ステップＳＴ１１５０において、上記のステップＳＴ１５５０と同様にＰＭｎ、ＰＲｎ、ＰＴｎ、Ａｎの値をクリアする。そして、測定タイミングｔでのｎ番目の測定セルに対する処理を終了する。
【００３５】
また、移動平均Ａｎが基準値Ｓ１以下の場合（ＳＴ１１４０：ＮＯ）は、実施の形態１で説明したステップＳＴ１６００〜ＳＴ１７００を実行する。
【００３６】
本実施の形態のハンドオーバ制御方法では、上記の動作を、１番目の測定セルからＮ番目の測定セルの各々について実行する。そして、１〜Ｎ番目の測定セルに対する上記の動作を、測定開始タイミングＴｉｎｉｔから測定終了タイミングＴｅｎｄまで、間隔Ｔｉｎｔ毎の測定タイミングで実行する。
【００３７】
次いで、上記のハンドオーバ制御方法が実際に実行される場合の動作例について図４を用いて説明する。ここでは、分かりやすく説明するために、Ｎ個の測定セルのうちある一つの測定セルに着目して説明する。
【００３８】
この測定セルの受信信号強度ＲＳＣＰＭＳＲおよび基準セルの受信信号強度ＲＳＣＰＲＥＦの信号強度差Ｄは時刻Ｔａにて閾値Ｗを満たし、この測定セルはハンドオーバ対象セルとなる。
【００３９】
また、時刻Ｔａから、信号強度差Ｄの移動平均Ａを算出する。そして、時刻Ｔｂにて、ハンドオーバ対象セルの信号強度差Ｄが閾値Ｗを満たさなくなった場合も引き続き移動平均Ａを算出する。ハンドオーバ対象セルの信号強度差Ｄが閾値Ｗを満たさずかつ移動平均Ａが基準値Ｓ１より大きくなった場合、このハンドオーバ対象セルの受信信号強度ＲＳＣＰＭＳＲは継続して低下すると判断し、ハンドオーバ対象から除外することができる。
【００４０】
このように、本実施の形態によれば、ハンドオーバ対象セルに対するハンドオーバ処理をより早く実行することができるだけでなく、ハンドオーバ対象セルの受信信号強度の低下が伝搬路の一時的な変動によるものであるか継続的なものであるかを判断し、その受信信号強度の低下が継続的なものである場合はその測定セルをハンドオーバ対象セルから除外するため、測定セルを無駄にハンドオーバ対象セルと認識する必要はなく、ハンドオーバ制御方法における全体的な処理量を削減することができる。
【００４１】
なお、本実施の形態では、ハンドオーバ対象セルの受信信号強度の低下に対する判断の基準として、基準セルの受信信号強度とハンドオーバ対象セルの受信信号強度との信号強度差の移動平均を適用したが、これに限定されない。例えば、この信号強度差の累積値やこの信号強度差の積分値などを適用することもできる。
【００４２】
（実施の形態３）
図５は、本発明の実施の形態３に係るハンドオーバ制御方法を説明するためのフローチャートである。なお、本実施の形態のハンドオーバ制御方法は、実施の形態１で説明したハンドオーバ制御方法と基本的に同様の方法であり、同一のステップには同一の参照符号を付し、その詳細な説明を省略する。
【００４３】
まず、ステップＳＴ１０００〜ＳＴ１１００では、実施の形態１で説明した動作を実行する。そして、ステップＳＴ１１００での比較の結果、信号強度差Ｄｎが閾値Ｗより小さい場合（ＳＴ１１００：ＹＥＳ）は、実施の形態１で説明したステップＳＴ１２００〜ＳＴ１４００を実行する。一方、信号強度差Ｄｎが閾値Ｗ以上の場合（ＳＴ１１００：ＮＯ）は、実施の形態２で説明したステップＳＴ１１２０を実行する。
【００４４】
そして、ステップＳＴ１４００に続いて、ステップＳＴ１５６０では、ＰＭｎ、ＰＲｎ、ＰＴｎ、Ｉｎの値をクリアしそれぞれの初期値（例えば、ＰＭｎ＝０、ＰＲｎ＝０、ＰＴｎ＝Ｐｉｎｉｔ、Ｉｎ＝０）に戻し、測定タイミングｔでのｎ番目の測定セルに対する処理を終了する。また、ステップＳＴ１４００での報告の後、ハンドオーバ対象セルに対してハンドオーバ処理が行われ、ハンドオーバ対象セルが無線リンクに追加される。
【００４５】
また、ステップＳＴ１１２０での判定の結果、保持時間ＰＲｎが「０」でない場合（ＳＴ１１２０：ＮＯ）、ステップＳＴ１１６０で、信号強度差Ｄｎが閾値Ｗを満たさない時間Ｉｎを測定する。
【００４６】
そして、ステップＳＴ１１７０では、測定した時間Ｉｎを所定の基準値Ｓ２と比較する。この比較の結果、時間Ｉｎが基準値Ｓ２より大きい場合（ＳＴ１１７０：ＹＥＳ）、ハンドオーバ対象セルの受信信号強度ＲＳＣＰＭＳＲｎは継続して低下していると判断し、ステップＳＴ１１８０において、上記のステップＳＴ１５６０と同様にＰＭｎ、ＰＲｎ、ＰＴｎ、Ｉｎの値をクリアする。そして、測定タイミングｔでのｎ番目の測定セルに対する処理を終了する。一方、この比較の結果、時間Ｉｎが基準値Ｓ２以下の場合（ＳＴ１１７０：ＮＯ）は、実施の形態１で説明したステップＳＴ１６００〜ＳＴ１７００を実行する。そして、測定タイミングｔでのｎ番目の測定セルに対する処理を終了する。
【００４７】
本実施の形態のハンドオーバ制御方法では、上記の動作を、１番目の測定セルからＮ番目の測定セルの各々について実行する。そして、１〜Ｎ番目の測定セルに対する上記の動作を、測定開始タイミングＴｉｎｉｔから測定終了タイミングＴｅｎｄまで、間隔Ｔｉｎｔ毎の測定タイミングで実行する。
【００４８】
次いで、上記のハンドオーバ制御方法が実際に実行される場合の動作例について図６を用いて説明する。ここでは、わかりやすく説明するために、Ｎ個の測定セルのうちある一つの測定セルに着目して説明する。
【００４９】
この測定セルの受信信号強度ＲＳＣＰＭＳＲおよび基準セルの受信信号強度ＲＳＣＰＲＥＦの信号強度差Ｄは時刻Ｔａにて閾値Ｗを満たし、この測定セルはハンドオーバ対象セルとなる。
【００５０】
そして、時刻Ｔｂにて、ハンドオーバ対象セルの信号強度差Ｄが閾値Ｗを満たさなくなった場合、その時点から時間Ｉｎを測定する。ハンドオーバ対象セルの信号強度差Ｄが閾値Ｗを満たさずかつ時間Ｉｎが基準値Ｓ２より大きくなった場合、このハンドオーバ対象セルの受信信号強度ＲＳＣＰＭＳＲは継続して低下すると判断し、ハンドオーバ対象から除外することができる。
【００５１】
このように、本実施の形態によれば、ハンドオーバ対象セルに対するハンドオーバ処理をより早く実行することができるだけでなく、ハンドオーバ対象セルの受信信号強度の低下が伝搬路の一時的な変動によるものであるか継続的なものであるかを判断し、その受信信号強度の低下が継続的なものである場合はその測定セルをハンドオーバ対象セルから除外するため、測定セルを無駄にハンドオーバ対象セルと認識する必要はなく、ハンドオーバ制御方法における全体的な処理量を削減することができる。
【００５２】
なお、上記の各実施の形態では、保持時間ＰＲｎおよび持続時間ＰＭｎの合計が予め設定されている規定時間ＰＴｎ以上になったことを検出するための方法の一例として、保持時間ＰＲｎが保持されるたびに規定時間ＰＴｎを更新し、持続時間ＰＭｎを更新後の規定時間ＰＴｎと比較する処理を行っているが、これに限定されない。例えば、規定時間ＰＴｎを固定値とし、持続時間ＰＭｎを保持時間ＰＲｎに合算した値を規定時間ＰＴｎと比較する処理を行っても良い。
【００５３】
また、上記の各実施の形態では、ハンドオーバ処理の一つとして、ハンドオーバ対象セルを無線リンクに追加する場合について説明したが、ハンドオーバ対象セルを無線リンクから削除したり交換したりする場合にも適用することができる。
【００５４】
また、上記の各実施の形態では、基準セルや測定セルの受信信号強度について閾値を設定しているが、この閾値は、電力の測定値や希望波受信信号対干渉波受信信号電力比、各セルおよび移動局装置の間の伝搬ロスの大きさ、干渉の度合いを表すジオメトリに対して設定しても良い。また、この閾値は、値に幅を持たせるヒステリシスパラメータや、各セルに依存して付加されるオフセットから構成することも可能である。
【００５５】
また、上記の各実施の形態では、上記ハンドオーバ制御方法を実行する移動局装置について説明したが、この移動局装置と無線通信を行う基地局装置に上記ハンドオーバ制御方法の実行を移動局装置に指示する手段を備えても良い。
【産業上の利用可能性】
【００５６】
以上説明したように、本発明のハンドオーバ制御方法は、セルラーシステムのシステム容量を向上させる効果を有し、セルラーシステムにおいて有用である。
【図面の簡単な説明】
【００５７】
【図１】本発明の実施の形態１に係るハンドオーバ制御方法を説明するためのフローチャート
【図２】本発明の実施の形態１に係るハンドオーバ制御方法が実行される場合の動作例を説明するための図
【図３】本発明の実施の形態２に係るハンドオーバ制御方法を説明するためのフローチャート
【図４】本発明の実施の形態２に係るハンドオーバ制御方法が実行される場合の動作例を説明するための図
【図５】本発明の実施の形態３に係るハンドオーバ制御方法を説明するためのフローチャート
【図６】本発明の実施の形態３に係るハンドオーバ制御方法が実行される場合の動作例を説明するための図
【図１】
2005102076.tif 000003
【図２】
2005102076.tif 000004
【図３】
2005102076.tif 000005
【図４】
2005102076.tif 000006
【図５】
2005102076.tif 000007
【図６】
2005102076.tif 000008